(57)【要約】  【課題】  傘に付着した水分が周囲に移ることを抑制する新たな技術を提案する。  【解決手段】  傘に取り付けて用いられる傘取付具１であって、螺旋状であり、螺旋の軸方向に伸縮可能である伸縮部３１と、傘取付具１を、傘の親骨とシャフトとの連結部分を基準として手元側とは反対側の領域に取り付ける取付部２１と、を備える。当該傘取付具１が傘に取り付けられた状態において、伸縮部３１は、シャフトの長さ方向に伸び、閉じた状態の傘の傘布の周囲を巻回した形となる第１の状態と、長さ方向に縮み、傘が開くことを妨げない第２の状態と、に遷移可能であることを特徴とする。【選択図】図１
2016185233.tif 000002
【特許請求の範囲】
【請求項１】
傘に取り付けて用いられる傘取付具であって、
螺旋状であり、該螺旋の軸方向に伸縮可能である伸縮部と、
当該傘取付具を、傘の親骨とシャフトとの連結部分を基準として手元側とは反対側の領域に取り付ける取付部と、を備え、
当該傘取付具が傘に取り付けられた状態において、前記伸縮部は、前記シャフトの長さ方向に伸び、閉じた状態の前記傘の傘布の周囲を巻回した形となる第１の状態と、前記長さ方向に縮み、前記傘が開くことを妨げない第２の状態と、に遷移可能である
ことを特徴とする傘取付具。
【請求項２】
前記伸縮部は、少なくとも前記第１の状態において前記シャフトの長さ方向に間隔を空けて位置する２つの領域であって、少なくとも前記第１の状態において、該２つの領域の間に空間が形成される第１の領域及び第２の領域を有している
ことを特徴とする請求項１に記載の傘取付具。
【請求項３】
前記伸縮部は、前記軸方向に関する少なくとも一部の範囲において、前記傘の手元側に向かって徐々に径が大きくなる
ことを特徴とする請求項１又は請求項２に記載の傘取付具。
【請求項４】
前記伸縮部には、前記螺旋の内面側の端部において、前記傘の手元側に突出する突出部が設けられている
ことを特徴とする請求項１〜請求項３のいずれか１項に記載の傘取付具。
【請求項５】
請求項１から請求項４のいずれか１項に記載の傘取付具を備える傘。
【請求項６】
傘であって、
該傘を開いた状態において、該傘の親骨を基準として手元側とは反対側の領域に設けられ、螺旋状であり、該螺旋の軸方向に伸縮可能である伸縮部を備え、
前記伸縮部は、前記傘のシャフトの長さ方向に伸び、閉じた状態の前記傘を当該伸縮部の内部に収める第１の状態と、前記長さ方向に縮み、前記傘が開くことを妨げない第２の状態と、に遷移可能である
ことを特徴とする傘。
【発明の詳細な説明】
【技術分野】
【０００１】
本発明は、傘に取り付けて用いられる傘取付具、及びその傘取付具が取り付けられた傘に関する。
【背景技術】
【０００２】
雨天時に傘を使用した後は傘が濡れた状態となるため、傘が使用者や周囲の人に接触してしまうと服や体に水が付着してしまい、不快感を覚える場合がある。従来、傘の柄の先端に取り付けられる傘袋が提案されている（特許文献１参照）。この傘袋は傘に取り付けておくことができるため、傘袋を傘とは別に持ち歩く必要がなく都合がよい。
【先行技術文献】
【特許文献】
【０００３】
【特許文献１】特開平０９−０７５１２１号公報
【発明の概要】
【発明が解決しようとする課題】
【０００４】
特許文献１の傘袋は傘の先端の収納袋に収納されているため、傘を使用しているときに直接的に雨に当たることは抑制される。しかしながら、一度傘袋を使用すると傘袋の内面には多くの水が付着し、それを収納袋に戻すと収納袋の中に水が溢れ、傘袋の外面にも水がついてしまう。すると、再度傘袋を使用したときには傘袋が濡れており、その目的を十分に発揮することができない。
【０００５】
本発明の目的は、傘に付着した水分が周囲に移ることを抑制する新たな技術を提案することである。
【課題を解決するための手段】
【０００６】
本発明の第１の態様は、傘に取り付けて用いられる傘取付具であって、螺旋状であり、該螺旋の軸方向に伸縮可能である伸縮部と、当該傘取付具を、傘の親骨とシャフトとの連結部分を基準として手元側とは反対側の領域に取り付ける取付部と、を備え、当該傘取付具が傘に取り付けられた状態において、上記伸縮部は、上記シャフトの長さ方向に伸び、閉じた状態の上記傘の傘布の周囲を巻回した形となる第１の状態と、上記長さ方向に縮み、上記傘が開くことを妨げない第２の状態と、に遷移可能であることを特徴とする傘取付具である。
【０００７】
このように構成された傘取付具であれば、伸縮部が傘布の周囲に巻き回されるため、傘が周囲の人や物など（以下、単に人等とも記載する）に接触したときには、まず伸縮部が人等に接触する。そのため、雨水が付着した傘布が人等に接触してしまうことを抑制でき、水分が周囲に移ることを抑制できる。
【０００８】
上述した伸縮部は、少なくとも上記第１の状態において上記シャフトの長さ方向に間隔を空けて位置する２つの領域であって、少なくとも上記第１の状態において、該２つの領域の間に空間が形成される第１の領域及び第２の領域を有している構成であってもよい。
【０００９】
このように構成された傘取付具であれば、伸縮部が傘布と伸縮部の外部との連通を妨げてしまうことが抑制され、傘袋を使用した場合と比較して傘布を早期に乾燥させることができる。
【００１０】
また上述した伸縮部は、上記軸方向に関する少なくとも一部の範囲において、上記傘の手元側に向かって徐々に径が大きくなる構成であってもよい。
傘を閉じた状態において、傘の構造上の理由により傘布は手元側ほど広がった状態になり易い。上述したように構成された傘取付具であれば、傘布の広がりに伴って幅が広くなるため、伸縮操作を容易に行うことができる。
【００１１】
また上述した伸縮部には、上記螺旋の内面側の端部において、上記傘の手元側に突出する突出部が設けられていてもよい。
このように構成された傘取付具では、伸縮部を伸張させたときに、傘布に付着した水滴が突出部により伸縮部に集められる。伸縮部は螺旋状であるため、集められた水滴は伸縮部を伝って下方に流れる。よって、上記傘取付具では伸縮部を伸長させることで傘布に付着した水分を減少させることができ、傘布に人等が接触してしまったときに人等に移る水分を低減できる。
【００１２】
本発明の第２の態様は、上記傘取付具を備える傘である。このような傘は、上記傘取付具を備えることにより、傘の水分が周囲に移ることを抑制できる。
また本発明の第３の態様は、傘であって、該傘を開いた状態において、該傘の親骨を基準として手元側とは反対側の領域に設けられ、螺旋状であり、該螺旋の軸方向に伸縮可能である伸縮部を備えている。この伸縮部は、傘のシャフトの長さ方向に伸び、閉じた状態の上記傘を当該伸縮部の内部に収める第１の状態と、上記長さ方向に縮み、上記傘が開くことを妨げない第２の状態と、に遷移可能である。
【００１３】
このような傘は、上記伸縮部により、傘の水分が周囲に移ることを抑制できる。
【図面の簡単な説明】
【００１４】
【図１】図１（Ａ）が傘取付具の平面図であり、図１（Ｂ）が傘取付具の正面図である。
【図２】図２（Ａ）が図１（Ａ）のＡ−Ａ断面図であり、図２（Ｂ）が傘取付具の底面図である。
【図３】傘取付具の傘への取り付けを説明する図である。
【図４】伸縮部の形状を説明する図である。
【図５】図５（Ａ）が傘を閉じた状態での傘取付具の使用態様を説明する図であり、図５（Ｂ）が傘布近傍の拡大図である。
【図６】傘を開いた状態での傘取付具の使用態様を説明する図である。
【発明を実施するための形態】
【００１５】
以下に本発明の実施形態を図面と共に説明する。なお本発明は上記実施形態に限定されることなく、種々の形態を採り得るものである。
［実施形態］
（１）傘取付具の構成
本実施形態の傘取付具１の構成を、図１〜図４に基づいて説明する。なお図２（Ａ）及び図３は、理解を容易にするために伸縮部３１の図示を省略している。
【００１６】
傘取付具１は、図１（Ａ）、（Ｂ）に示すように、貯水部１１と、取付部２１と、伸縮部３１と、脚部５１と、を有する。
（１−１）貯水部
貯水部１１は、一端から他端に向けて徐々に狭くなる内部空間１１ａを有する筒状形状であって、一端に開口１１ｂが形成され他端が閉じられている。貯水部１１の内部空間１１ａを構成する壁面のうち他端側の壁面には、内側に雌ねじ１３ａが形成された雌ねじ部１３が設けられている。
【００１７】
また貯水部１１の内部空間１１ａには、内部空間１１ａを構成する壁面から内部空間１１ａの中央に向けて突出する突起部１５が設けられている。
貯水部１１の底面１７には、図２（Ｂ）に示すように、底面１７の中央にて外側から内側に窪む穴１７ａが形成されており、穴１７ａの周囲の壁面には貯水部１１の内外方向に伸びる複数の溝１７ｂが設けられている。
【００１８】
また貯水部１１の一端側の外表面には、他端から一端に向かう方向に伸びだし、伸び出した先端がフランジ状に広がった係止部１９が形成されている。
（１−２）取付部
取付部２１は、図２（Ａ）に示すように、筒状の第１筒部２３及び第２筒部２５を有している。第１筒部２３は一端から他端に向かって徐々に径が小さくなる。第２筒部２５は長さ方向に関して径が一定であって、一端が第１筒部２３の他端に繋がっており、取付部２１全体として１つの筒状体を形成する。
【００１９】
第１筒部２３には、第１筒部２３の中心軸を中心として対向する位置に一対の貫通穴２３ａが形成されている。この貫通穴２３ａには、ねじ４１が螺合する雌ねじが形成されている。
【００２０】
第２筒部２５の壁面外側には、上述した雌ねじ部１３の雌ねじ１３ａと螺合する雄ねじ２５ａが形成されている。この雄ねじ２５ａを雌ねじ１３ａと螺合させることで、取付部２１が貯水部１１に取り付けられる。
【００２１】
図３に示すように、傘１０１の石突１０３は取付部２１に挿入可能である。そして、一対のねじ４１を締めて石突１０３を挟み込むことで石突１０３に取付部２１が取り付けられる。上述したように取付部２１は貯水部１１に取り付け可能であるため、取付部２１により石突１０３に貯水部１１（すなわち、傘取付具１）を取り付けることができる。
【００２２】
なお、石突１０３に取付部２１を先に取り付け、その後、取付部２１を貯水部１１に取り付けることで、ねじ４１の締結を容易に行うことができる。
（１−３）伸縮部
伸縮部３１の形状を、図４（Ａ）〜（Ｅ）を用いて説明する。
【００２３】
図４（Ａ）は伸縮部３１の正面図である。伸縮部３１は螺旋状であって、中心軸Ｂの方向に伸縮可能であり、外部からの荷重が加えられないときには縮小した状態となっている。
【００２４】
図４（Ｂ）は伸縮部３１の断面を拡大したものである。伸縮部３１は、板状の基部３３と、基部３３の端部において基部３３の主たる面から交差する方向に突出する突出部３５と、を有している。上述した基部３３の端部は、伸縮部３１の螺旋形状の内面側の端部である。
【００２５】
図４（Ｃ）は伸縮部３１全体の断面図である。図４（Ｃ）に示すように、伸縮部３１は徐々に中心軸Ｂと直交する方向に外側に広がる。より詳細には、螺旋一周につき突出部３５の厚さの２倍ずつ伸縮部３１の径は広くなる。なお伸縮部３１が傘１０１に取り付けられた状態においては、手元１０７側（図５（Ａ）、図６参照）ほど伸縮部３１の径は広くなっている。
【００２６】
図４（Ｄ）は、伸縮部３１における最も径が広い側の端部である第１端部３１ａを示す平面図である。第１端部３１ａには螺旋の内側に突出した内側係止片３７、及び螺旋の外側に突出した外側係止片３９が形成されている。内側係止片３７には貫通穴３７ａが形成されており、この貫通穴３７ａに後述する傘１０１の親骨１０９の先端（露先１１３）が係止する。また外側係止片３９は上述した係止部１９に係止する。
【００２７】
図４（Ｅ）は、伸縮部３１における最も径が狭い側の端部である第２端部３１ｂを示す側面図である。第２端部３１ｂには中心軸Ｂ方向であって伸縮部３１から離れる方向に突出した下側突出片４１が形成されている。
【００２８】
下側突出片４１には貫通穴４１ａが形成されており、この貫通穴４１ａに上述した突起部１５が挿入される（図１（Ｂ）参照）。これにより伸縮部３１が貯水部１１に取り付けられる。従って、伸縮部３１は貯水部１１に取り付けられることにより取付部２１を介して石突１０３に取り付けられる。
【００２９】
（１−４）脚部
図１（Ａ）に示すように、貯水部１１には等間隔で３つの脚部５１が設けられている。なお図１（Ｂ）、図２（Ａ）、図３では脚部５１は１つのみ記載し、他の２つの記載は省略している。
【００３０】
脚部５１は、一方に長く伸びた略環状の主部５３と、連結軸５５に向かって伸びる連結部５７と、を有している。脚部５１は、図２（Ａ）に示されるように連結軸５５を中心として回動可能であり、主部５３が貯水部１１の壁面に沿った収納状態（図２（Ａ）における実線で示す脚部５１）と、主部５３が底面１７と略平行となる使用状態（図２（Ａ）における破線で示す脚部５１）と、に遷移可能である。
【００３１】
脚部５１は、収納状態のときは、主部５３が貯水部１１の開口１１ｂ近傍に形成された係止溝１１ｃに挟まって係止されている。一方、使用状態のときは、主部５３が底面１７に形成された溝１７ｂに挟まって係止されている。
【００３２】
（２）傘取付具の使用態様
図５（Ａ）は、傘取付具１を傘１０１に取り付け、伸縮部３１を伸ばした状態である第１の状態を示す図である。傘１０１は、シャフト１０５、手元１０７、親骨１０９、傘布１１１、露先１１３などを有する一般的な傘であり、図５（Ａ）において傘１０１は閉じた状態である。
【００３３】
傘取付具１の伸縮部３１は、この第１の状態において、シャフト１０５の長さ方向に伸び、傘１０１の傘布１１１の周囲を巻き回した形となる。言い換えると、伸縮部３１を仮想的な壁面とした筒状体であって、螺旋の軸を中心軸とした筒状体の内部空間に、閉じた状態の傘１０１が収められた状態となる。
【００３４】
また、伸縮部３１は螺旋状であるため、伸張させると隙間が生じる。つまり、シャフト１０５の長さ方向（螺旋の軸方向）に間隔を空けて位置する２つの領域（第１の領域３１ｃ及び第２の領域３１ｄ）の間に空間が形成される。言い換えると、シャフト１０５の長さ方向と交差する方向に関して伸縮部３１の内側から外側に通じる空間が形成される。伸縮部３１の内側及び外側とは、上述した筒状体の内側と外側を意味する。なお図５（Ａ）における第１の領域３１ｃ及び第２の領域３１ｄは、伸縮部３１における上記空間を形成する部分の一例を示すものであり、本実施形態の伸縮部３１では、第１の領域と第２の領域となりうる部分（間に空間が形成される部分）は広く存在する。
【００３５】
なお、露先１１３を内側係止片３７の貫通穴３７ａに差し込むことで、伸縮部３１が縮むことが抑制され、伸縮部３１に外力を加えなくとも第１端部３１ａが石突１０３側に戻ってしまうことを抑制できる。
【００３６】
図５（Ｂ）は、傘布１１１と伸縮部３１との接触状態を説明するための模式的な拡大図である。伸縮部３１を伸張させるときに、伸縮部３１の内側の端部が傘布１１１に接触すると、突出部３５が傘布１１１に付着した水滴１２１を傘布１１１から削いで基部３３上に移動させる。伸縮部３１が伸張すると基部３３は傾斜する（螺旋の軸の方向に近づくように傾斜する）ため、水滴１２１は下方向（貯水部１１のある方向）に流れ、貯水部１１に溜められる。
【００３７】
なお傘布１１１に付着した水滴１２１が重力によって下方に流れたときも、水滴１２１は突出部３５によって基部３３に移動しうるが、基部３３（伸縮部３１）に移動しなかった水滴１２１は傘布１１１を伝って下方に流れ、貯水部１１に溜められる。
【００３８】
図６は、傘取付具１を傘１０１に取り付け、伸縮部３１を縮めた状態である第２の状態を示す図である。傘取付具１の伸縮部３１は、この第２の状態において、シャフト１０５の長さ方向に関して縮んでおり、傘１０１が開くことを妨げない。図６から明らかなように、傘取付具１は親骨１０９とシャフト１０５との連結部分を基準として手元１０７側とは反対側の領域に取り付けられる。また別の言い方をすると、伸縮部３１は、傘１０１を開いた状態において、傘１０１の親骨１０９を基準として手元１０７側とは反対側の領域に設けられる。
【００３９】
また、第２の状態において、外側係止片３９が係止部１９に係止することで、伸縮部３１が重力によって下方に垂れ下がることが抑制される。
なお、第１の状態と第２の状態との状態遷移は、傘１０１の使用者が第１端部３１ａを持って移動させることで実現することができる。
【００４０】
（３）効果
本実施形態の傘取付具１は、第１の状態において、傘布１１１の周囲を取り囲むように伸縮部３１が配されるため、雨水が付着した傘布１１１が周囲の人や物など（以下、人等とも記載する）に接触しにくくなる結果、傘布１１１の表面の水分が人等に移ることを抑制できる。
【００４１】
なお伸縮部３１は傘布１１１に接触する可能性があるため、伸縮部３１自体が濡れていることは考えられる。しかしながら上述した第１の状態となった伸縮部３１は伸張した螺旋状の形態であるため、仮に伸縮部３１が濡れていても、人等と接触する伸縮部３１の面積は傘布１１１が人等と接触する場合の傘布１１１の面積と比較すると十分に小さい。よって、伸縮部３１が濡れていたとしても、水分の移動は十分に抑制される。
【００４２】
また、伸縮部３１は螺旋状であるため、傘布１１１と伸縮部３１の外部とが連通しており傘布１１１が乾きやすく、傘袋を使用して傘布１１１を覆った場合と比較して傘布１１１を早期に乾燥させることができる。
【００４３】
また伸縮部３１は手元１０７側ほど幅が広がっているため、傘１０１を閉じたときに手元１０７側ほど傘布１１１の表面が広がった状態となっていても、過剰に強く伸縮部３１と傘布１１１が接触することが抑制され、スムーズに伸張させることができる。また伸縮部３１は石突１０３側ほど狭くなっているため、無用に伸縮部３１やそれを収納する貯水部１１が大きくなることを抑制できる。
【００４４】
また傘取付具１においては、伸縮部３１を伸張させたときに、傘布１１１に付着した水滴１２１が伸縮部３１によって集められ、貯水部１１に溜められる。よって、傘布１１１に付着した水分を減少させることができ、傘布１１１に人等が接触してしまったときに人等に移る水分を低減できる。
【００４５】
なお、突出部３５が形成されていることにより効率よく水滴１２１を集めることができるが、突出部３５がなくとも、基部３３により傘布１１１表面の水滴１２１を集めることが可能である。
【００４６】
また傘取付具１では、第１端部３１ａの内側係止片３７に貫通穴３７ａが形成されているため、貫通穴３７ａに露先１１３を係止させることで傘布１１１の先端まで伸ばした伸縮部３１をその状態で維持することができ都合がよい。
【００４７】
また傘取付具１では、貯水部１１に取り付けられた３つの脚部５１により、貯水部１１の底面１７を設置面に当てた状態で傘１０１を立てることができる。また脚部５１は環状であるため、その部分をフックなどに引っ掛けて傘１０１を吊るすこともできる。
【００４８】
また傘取付具１を第１の状態とすると、伸縮部３１が傘布１１１をまとめるため、バンドを巻きつけなくとも傘布１１１が広がってしまうことを抑制できる。
［他の実施形態］
以上、本発明の実施形態について説明したが、本発明は上記実施形態に限定されることなく、種々の形態を採り得る。
【００４９】
［Ａ］伸縮部３１は、上記実施形態で示した形態に限定されない。螺旋状であり、軸方向に関して長さが可変である様々な形態とすることができる。例えば突出部３５が形成されていなくともよいし、基部３３が軸方向（伸張方向）に長さを有する形状であってもよい。
【００５０】
また伸縮部３１は、内側係止片３７が形成されていなくともよい。その場合には、別の係止手段により伸縮部３１が伸張した状態を維持できるように構成してもよい。
また伸縮部３１は、手元１０７側に向かって徐々に軸方向と直交する方向の間隔（径）が大きくなる構成を例示したが、このように構成されるのは軸方向に関する一部の範囲であってもよい。なおその一部の範囲とは、１つの範囲でも複数の範囲でもよい。また、伸縮部は間隔が変化せず、一定であるように構成されていてもよい。
【００５１】
［Ｂ］貯水部１１は、上記実施形態で示した形態に限定されない。例えば軸方向に関して幅の変化しない円筒形であってもよい。また貯水部１１は設けられていなくともよい。
［Ｃ］取付部２１は、上記実施形態で示した形態に限定されない。伸縮部３１の少なくとも一部を、傘１０１の親骨１０９とシャフト１０５との連結部分を基準として手元１０７側とは反対側の領域に取り付けることができる様々な形態とすることができる。例えば、石突１０３を圧入して固定することが可能な挿入穴が、弾性を有する部材により形成されたものであってもよい。
【００５２】
また、取付部２１を貯水部１１に取り付けるための手段も上述したようなねじによる螺合に限定されず、２つの部品を連結するための公知の様々な手段を用いることができる。
［Ｄ］取付部２１を用いず、傘１０１自体が伸縮部３１の構成を有するものであってもよい。例えば、石突１０３に変えて貯水部１１が傘１０１に設けられており、その貯水部１１の中に伸縮部３１が配置される構成が考えられる。
【００５３】
［Ｅ］閉じた状態の傘１０１を覆う袋状の被覆部が、伸縮部３１の内側又は外側において伸縮部３１に取り付けられる形で設けられていてもよい。このような被覆部は、伸縮部３１の第１端部３１ａを操作して上述した第１の状態とすることで傘１０１を覆い、第２の状態とすることで小さくまとめることができる。
【００５４】
なお被覆部が伸縮部３１の内側に設けられる場合、被覆部の外側が濡れてしまっても伸縮部３１によってその水分が人等に付着しにくくなる。また被覆部が伸縮部３１の外側にある場合、伸縮部３１による傘布１１１から被覆部への水分の移動の抑制や、伸縮部３１による傘布１１１外側の水を落とす機能を実現することができる。
【００５５】
［Ｆ］上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００５６】
１…傘取付具、１１…貯水部、１３…雌ねじ部、１５…突起部、１９…係止部、２１…取付部、２３…第１筒部、２３ａ…貫通穴、２５…第２筒部、３１…伸縮部、３１ａ…第１端部、３１ｂ…第２端部、３３…基部、３５…突出部、３７…内側係止片、３７ａ…貫通穴、３９…外側係止片、４１…下側突出片、４１ａ…貫通穴、５１…脚部、５３…主部、５５…連結軸、５７…連結部、１０１…傘、１０３…石突、１０５…シャフト、１０７…手元、１０９…親骨、１１１…傘布、１１３…露先、１２１…水滴
【図１】
2016185233.tif 000003
【図２】
2016185233.tif 000004
【図３】
2016185233.tif 000005
【図４】
2016185233.tif 000006
【図５】
2016185233.tif 000007
【図６】
2016185233.tif 000008